(57)【要約】【課題】移動子の往方向及び復方向の操作を区別して検知し、その操作量も検知し、さらに部品数の削減及び構成の簡単化を図る。【解決手段】ロータリースイッチ装置１は、ユーザーの操作に基づいて回動する移動子８と、この移動子８の回動方向に沿ってほぼ所定間隔で複数配設された作動子９と、作動子９の往方向への移動に基づいて第１のスイッチをオン動作する第１のスイッチ作動体１０と、作動子９の復方向への移動に基づいて第２のスイッチをオン動作する第２のスイッチ作動体１２とを備えている。【選択図】図１
2008130496.tif 000002
【特許請求の範囲】
【請求項１】
スイッチベースに往復移動可能に設けられ、ユーザーの操作に基づいて移動する移動子と、
この移動子の移動方向に沿ってほぼ所定間隔で複数配設され、移動方向とほぼ直交する方向へ突出する作動子と、
前記スイッチベースに移動可能に設けられ、前記作動子の往方向への移動時に該作動子と遭遇して一方向へ移動するとともに、該作動子の復方向への移動時に該作動子と遭遇して他方向へ移動する第１のスイッチ作動体と、
この第１のスイッチ作動体の近傍に設けられ、該第１のスイッチ作動体の前記一方向への移動によりオン動作する第１のスイッチと、
前記スイッチベースに移動可能に設けられ、前記作動子の往方向への移動時に該作動子と遭遇して他方向へ移動するとともに、該作動子の復方向への移動時に該作動子と遭遇して一方向へ移動する第２のスイッチ作動体と、
この第２のスイッチ作動体の近傍に設けられ、該第２のスイッチ作動体の前記一方向への移動によりオン動作する第２のスイッチと
を備えてなるスイッチ装置。
【請求項２】
作動子は棒状に突出する形態であり、
第１のスイッチ作動体は、該作動子の移動軌跡に交差可能で所定方向へ傾斜する第１の傾斜板部と、第１のスイッチ操作部とを有し、該作動子の往方向への移動時に第１の傾斜板部の一面部が該作動子と遭遇して前記第１のスイッチ操作部が一方向へ移動し、該作動子の復方向への移動時に第１の傾斜板部の他面部が該作動子と遭遇して前記第１のスイッチ操作部が他方向へ移動し、
第１のスイッチは、この第１のスイッチ操作部の前記一方向への移動によりオン動作し、
第２のスイッチ作動体は、該作動子の移動軌跡に交差可能で前記所定方向と逆方向へ傾斜する第２の傾斜板部と、第２のスイッチ操作部とを有し、該作動子の往方向への移動時に第２の傾斜板部の他面部が該作動子と遭遇して前記第２のスイッチ操作部が他方向へ移動し、該作動子の復方向への移動時に第２の傾斜板部の一面部が該作動子と遭遇して前記第２のスイッチ操作部が一方向へ移動し、
第２のスイッチは、この第２のスイッチ操作部の前記一方向への移動によりオン動作することを特徴とする請求項１に記載のスイッチ装置。
【請求項３】
移動子は、往方向及び復方向へ回転移動するように設けられていることを特徴とする請求項１又は２に記載のスイッチ装置。
【請求項４】
前記第１のスイッチ及び第２のスイッチはタクトスイッチからなることを特徴とする請求項１ないし３のいずれかに記載のスイッチ装置。
【発明の詳細な説明】
【技術分野】
【０００１】
本発明は、ユーザーの操作量に応じた設定をするのに好適するスイッチ装置に関する。
【背景技術】
【０００２】
この種のスイッチ装置としては、例えばロータリースイッチが知られている。このロータリースイッチは、回転ダイヤルの操作量をロータリーエンコーダにて検知する構成としたものがある。このものでは、回転ダイヤルを一方向へ操作すると、設定対象のレベルを増加方向に設定し、回転ダイヤルを他方向へ操作すると、設定対象のレベルを減少方向に設定する。ところが、このものではロータリーエンコーダが高価で、コスト高を来たす問題があった。
【０００３】
これを解決するものとして特許文献１に記載されたスイッチ装置がある。このものでは、回動操作部材の回動に連動する第１のカム本体と第２のカム本体とを同一軸上に設け、第１のカム本体には、例えば時計方向で係合可能な複数の爪状のカム部を形成し、第１のカム本体には反時計方向で係合可能な複数の爪状のカム部を形成し、第１のカム本体に対して時計方向で当該第１のカム本体のカム部と係合して動作する第１のプッシャを設け、第２のカム本体に対して反時計方向で当該第２のカム本体のカム部と係合して動作する第２のプッシャを設け、前記プッシャで第１のスイッチを動作させ、前記別のプッシャで第２のスイッチを動作させる構成としている。
【０００４】
つまり、カム本体と、プッシャと、スイッチとで一組の機構を構成し、この機構を二組備えた構成である。この場合、回動操作部材を時計方向に回動させると、その回動量（回動角度）に応じた回数、第１のプッシャがスイッチを作動させ、また、回動操作部材を反時計方向に回動させると、その回動量（回動角度）に応じた回数、第２のプッシャがスイッチを作動させるようになっている。
【特許文献１】特開２００４−６３０８０号公報
【発明の開示】
【発明が解決しようとする課題】
【０００５】
しかし、上記従来のものでは、回動操作部材の時計方向、反時計方向の回動量を検知するためにそれぞれ専用のカム本体を別々に必要であり、部品数も多く、構成が複雑であった。
【０００６】
本発明は上記事情に鑑みてなされたものであり、その目的は、移動子の往方向及び復方向の操作を区別して検知できると共に、その操作量も検知できることはもとより、部品数の削減を図り得、且つ構成も簡単となり、低コスト化を図り得るスイッチ装置を提供することにある。
【課題を解決するための手段】
【０００７】
請求項１の発明は、スイッチベースに往復移動可能に設けられ、ユーザーの操作に基づいて移動する移動子と、この移動子の移動方向に沿ってほぼ所定間隔で複数配設され、移動方向とほぼ直交する方向へ突出する作動子と、前記スイッチベースに移動可能に設けられ、前記作動子の往方向への移動時に該作動子と遭遇して一方向へ移動するとともに、該作動子の復方向への移動時に該作動子と遭遇して他方向へ移動する第１のスイッチ作動体と、この第１のスイッチ作動体の近傍に設けられ、該第１のスイッチ作動体の前記一方向への移動によりオン動作する第１のスイッチと、前記スイッチベースに移動可能に設けられ、前記作動子の往方向への移動時に該作動子と遭遇して他方向へ移動するとともに、該作動子の復方向への移動時に該作動子と遭遇して一方向へ移動する第２のスイッチ作動体と、この第２のスイッチ作動体の近傍に設けられ、該第２のスイッチ作動体の前記一方向への移動によりオン動作する第２のスイッチとを備えてなるところに特徴を有する。
【０００８】
上記請求項１の発明によれば、移動子が往方向へ移動されると、複数の作動子が往方向へ移動し該作動子の配置間隔に応じて第１のスイッチ作動体を一方向へ動作させ、もって、第１のスイッチを移動子の移動量に応じた回数で動作させる。従って、移動子の往方向の移動を第１のスイッチの動作にて検知し、且つ移動量を該第１のスイッチの動作回数で検出できる。また、移動子が復方向へ移動されると、複数の作動子が復方向へ移動し該作動子の配置間隔に応じて第２のスイッチ作動体を一方向へ動作させ、もって、第２のスイッチを移動子の移動量に応じた回数で動作させる。従って、移動子の復方向の移動を第２のスイッチの動作にて検知し、且つ移動量を該第２のスイッチの動作回数で検出できる。
【０００９】
移動子の往方向及び復方向のいずれにおいても、作動子が第１のスイッチ作動体及び第２のスイッチ作動体を動作させ、ひいては、第１のスイッチ及び第２のスイッチとを動作させることになり、作動子を共通に使用できる。
【発明の効果】
【００１０】
本発明は、移動子の往方向及び復方向の操作を区別して検知できると共に、その操作量も検知できることはもとより、部品数の削減を図り得、且つ構成も簡単となり、低コスト化を図り得る。
【発明を実施するための最良の形態】
【００１１】
以下、本発明をロータリースイッチ装置に適用した第１の実施例について図１ないし図５を参照して説明する。図３はスイッチ装置たるロータリースイッチ装置１の分解斜視図、図２は組立状態の斜視図、図１は第１のスイッチ作動体１０及び第２のスイッチ作動体１２を含む部分での縦断面図である。これら図１ないし図３において、ロータリースイッチ装置１は例えば、車両などのエアコンの温度設定用のスイッチ装置として用いられる。このロータリースイッチ装置１は、スイッチベース２としてベース本体３とパネル板４とを備えている。このベース本体３には、平面形状が円形の支持筒部５が形成されており、この支持筒部５の内面の例えば３箇所には、上下方向（軸方向）に延びて相互間にガイド溝５ｂを形成するガイドリブ５ａ、５ａが形成されている。
【００１２】
この支持筒部５内の底部中央には例えばタクトスイッチからなる設定開始用のスイッチ６が配設されている。
この支持筒部５内には設定開始用の操作子７が上下移動可能に配設されている。この場合、この操作子７の外周には上下方向に延びる例えば３個のガイドリブ７ａが形成されており、このガイドリブ７ａが前記ガイド溝５ｂに上下移動可能に嵌入されて、操作子７の上下動をガイドすると共に回り止めをしている。なお、この操作子７の上部にはエアコンを示すための「Ａ／Ｃ」の抜き文字が形成されている。さらに、この操作子７の中心部には前記スイッチ６を動作させるための押圧部７ｂが形成されている。
【００１３】
また、前記支持筒部５の外周には、平面形状が円形で筒状の移動子８が移動可能この場合回動可能に嵌合されている。この移動子８の上部開口から前記操作子７の上部が外部に臨んでおり、当該操作子７を押圧操作可能となっている。
【００１４】
この移動子８の下部には、多数の棒状の作動子９が、この移動子８の移動方向（図２及び図３の矢印Ａ方向及び矢印Ｂ方向）に沿って、所定間隔で配設されており、各作動子９は、前記移動方向とほぼ直交する方向（この場合放射方向）へ突出するように設けられている。
【００１５】
前記ベース本体３には、第１のスイッチ作動体１０が移動可能この場合揺動可能に設けられている。すなわち、この第１のスイッチ作動体１０は一端部に軸部１０ａを有し、また、他端部の上部に、第１の傾斜板部１０ｂを有し、さらに他端部の下部に若干凸形状の第１のスイッチ操作部１０ｃを有している。
【００１６】
前記軸部１０ａは、ベース本体３に形成された軸受けリブ３ａ、３ａにより揺動可能に支持されている。前記第１の傾斜板部１０ｂは、前記作動子９の移動軌跡Ｋ（回動軌跡）に交差可能であり、所定方向（例えば図４及び図５に示すように左上方向）へ傾斜するように形成されている。
【００１７】
また、このベース本体３には、該第１のスイッチ作動体１０の近傍である前記第１のスイッチ操作部１０ｃ下方部に位置して第１のスイッチ１１が設けられている。この第１のスイッチ１１はタクトスイッチからなる。
【００１８】
さらに、前記ベース本体３には、前記第１のスイッチ作動体１０と左右対称形状をなす第２のスイッチ作動体１２が、該第１のスイッチ作動体１０の配置形態と左右対称の配置形態で設けられている。この第２のスイッチ作動体１２も移動可能この場合揺動可能に設けられている。すなわち、この第２のスイッチ作動体１２は一端部に軸部１２ａを有し、また、他端部の上部に、第２の傾斜板部１２ｂを有し、さらに他端部の下部に若干凸形状の第２のスイッチ操作部１２ｃを有している。
【００１９】
前記軸部１２ａは、ベース本体３に形成された軸受けリブ３ｂ、３ｂにより揺動可能に支持されている。前記第２の傾斜板部１２ｂは、前記作動子９の移動軌跡Ｋ（回動軌跡）に交差可能であり、前記所定方向と逆方向（例えば図４及び図５に示すように右上方向）へ傾斜するように形成されている。
【００２０】
そしてまた、このベース本体３には、該第２のスイッチ作動体１２の近傍である前記第２のスイッチ操作部１２ｃ下方部に位置して第２のスイッチ１３が設けられている。この第２のスイッチ１３もタクトスイッチからなる。
【００２１】
なお、前記パネル板４には、前記移動子８を外部に臨ませるための開口部４ａが形成され、この開口部４ａの周縁部から下方に延びる筒部４ｂが形成されている。さらに、前記軸受けリブ３ａ、３ｂと対向する部位に軸押さえリブ４ｃ、４ｄが形成され、また、前記ベール本体３に形成された取り付け爪部３ｃに対応する取り付け孔部４ｅが形成されている。また、前記開口部４ａの周りに設定温度を表示するための表示部１４が付設されている。
【００２２】
そして、前記パネル板４が前記ベース本体３に取り付けられた状態では、前記筒部４ｂにより移動体８の上方への抜け止めを図り、軸押さえリブ４ｃ、４ｄにより前記第１のスイッチ作動体１０、１２の軸部１０ａ、１２ａの抜け止めを図っている。
【００２３】
さて、上記構成の作用について説明する。移動子８をユーザーが例えば往方向（矢印Ａ方向）へ回動すると、作動子９が往方向へ一体回動し、第１のスイッチ作動体１０の第１の傾斜板部１０ｂの一面部である上面部１０Ｊが該作動子９と相対的に遭遇して下方へ押圧される。これにより、第１のスイッチ作動体１０が一方向（矢印１０Ｉで示す方向）に回動し、前記第１のスイッチ操作部１０ｃが一方向（矢印１０Ｉで示す方向）へ移動する。これにより第１のスイッチ１１が押圧されてオン動作する。つまり、この第１のスイッチ１１のオン動作回数は、傾斜板部１０ｂに対する作動子９の遭遇回数となり、もって、第１のスイッチ１１は移動子８の移動量である回動量に応じた回数で動作する。従って、移動子８の往方向の回動を第１のスイッチ１１のオン動作にて検知し、且つ移動量を該第１のスイッチ１１のオン動作回数で検出できる。
【００２４】
なお、この往方向への回動時において、図４に示すように、第２のスイッチ作動体１２は、その第２の傾斜板部１２ｂの他面部である下面部１２Ｋが作動子９と相対的に遭遇して、他方向（矢印１２Ｔで示す方向）へ移動され（押し上げられ）、第２のスイッチ１３がオン動作することがない。
【００２５】
逆に、移動子８を復方向（矢印Ｂ方向）へ回動すると、図５に示すように、作動子９が復方向へ一体回動し、第２のスイッチ作動体１２の第２の傾斜板部１２ｂの一面部である上面部１２Ｊが該作動子９と相対的に遭遇して下方へ押圧される。これにより、第２のスイッチ作動体１２が一方向（矢印１２Ｉで示す方向）に回動し、前記第２のスイッチ操作部１２ｃが一方向（矢印１２Ｉで示す方向）へ移動する。これにより第２のスイッチ１３が押圧されてオン動作する。つまり、この第２のスイッチ１３のオン動作回数は、傾斜板部１２ｂに対する作動子９の遭遇回数となり、もって、第２のスイッチ１３は移動子８の移動量である回動量に応じた回数で動作する。従って、移動子８の復方向の回動を第２のスイッチ１３のオン動作にて検知し、且つ移動量を該第２のスイッチ１３のオン動作回数で検出できる。
【００２６】
なお、この復方向への回動時において、図５に示すように、第１のスイッチ作動体１０は、その第１の傾斜板部１１ｂの他面部である下面部１０Ｋが作動子９と相対的に遭遇して、他方向（矢印１０Ｔで示す方向）へ移動され（押し上げられ）、第１のスイッチ１１がオン動作することがない。
【００２７】
そして、上述したように移動子８の往方向及び復方向のいずれの回動においても、作動子９が第１のスイッチ作動体１０及び第２のスイッチ作動体１２を動作させ、ひいては第１のスイッチ１１及び第２のスイッチ１３を動作させることになり、作動子９をいずれの方向の検知にも共通に使用できる。
【００２８】
このように本実施例によれば、移動子８の往方向及び復方向の回動操作を区別して検知できると共に、その操作量も検知できることはもとより、部品数の削減を図り得、且つ構成も簡単となり、低コスト化を図り得る。
【００２９】
また、本発明によれば、作動子９を棒状に突出する形態とし、第１のスイッチ作動体１０を、該作動子９の移動軌跡に交差可能で所定方向へ傾斜する第１の傾斜板部１０ｂと、第１のスイッチ操作部１０ｃとを有する構成とし、第２のスイッチ作動体１２を、作動子９の移動軌跡に交差可能で前記所定方向と逆方向へ傾斜する第２の傾斜板部１２ｂと、第２のスイッチ操作部１２ｃとを有する構成としたので、構成の簡単化をさらに図ることができ、特に作動子９の構成の簡単化を図ることができる。
【００３０】
また、本実施例によれば、移動子８を、往方向及び復方向へ回転移動するように設けた構成であるから、ロータリースイッチ装置として好適する。
さらに、本実施例によれば、第１のスイッチ１１及び第２のスイッチ１３をタクトスイッチから構成したから、該タクトスイッチ自体が自動復帰することを利用して、第１のスイッチ作動体１０及び第２のスイッチ作動体１２を元位置に復帰させることができ、作動体復帰用のばね手段を省略することが可能となる。
【００３１】
なお上記実施例では、移動子８を、往方向及び復方向へ回転移動するように設けて、ロータリースイッチ装置１を構成したが、図６に示すようにしても良い。すなわち、この図６は本発明の第２の実施例を示し、移動子２１を直線移動させる構成としたスライドスイッチ装置２２を示している。このようにすると、スライドスイッチ装置２２において、移動子２１の往方向及び復方向の操作を区別して検知できると共に、その操作量も検知できることはもとより、部品数の削減を図り得、且つ構成も簡単となり、低コスト化を図り得る。その他、本発明は上記した各実施例に限定されるものではなく、例えば作動子は棒状でなくても、例えば薄肉厚のリブ状でも良い。また、車両などのエアコンの温度設定用のスイッチ装置以外にも適用できる。
【図面の簡単な説明】
【００３２】
【図１】本発明の第１の実施例を示し、第１のスイッチ作動体１０及び第２のスイッチ作動体１２を含む部分でのロータリースイッチ装置の縦断面図
【図２】ロータリースイッチ装置の組立状態の斜視図
【図３】ロータリースイッチ装置の分解斜視図
【図４】往方向移動の作用説明のために作動子を展開して示す図
【図５】復方向移動の作用説明のために作動子を展開して示す図
【図６】本発明の第２の実施例を示すスライドスイッチ装置の概略平面図
【符号の説明】
【００３３】
図面中、１はロータリースイッチ装置（スイッチ装置）、２はスイッチベース、８は移動子、９は作動子、１０は第１のスイッチ作動体、１０ｂは傾斜板部、１０ｃは第１のスイッチ操作部、１１は第１のスイッチ、１２は第２のスイッチ作動体、１２ｂは傾斜板部、１２ｃは第１のスイッチ操作部、１３は第２のスイッチを示す。
【図１】
2008130496.tif 000003
【図２】
2008130496.tif 000004
【図３】
2008130496.tif 000005
【図４】
2008130496.tif 000006
【図５】
2008130496.tif 000007
【図６】
2008130496.tif 000008